(57)【要約】      （修正有）【課題】簡易な接続構成を実現し、複数のプロジェクターを制御装置の制御によって動作させる。【解決手段】プロジェクター２００Ａ、２００Ｂ及び２００Ｃを備えるプロジェクションシステム１であって、プロジェクター２００Ａとプロジェクター２００Ｂとの間、及びプロジェクター２００Ｂとプロジェクター２００Ｃとの間は、各々ＨＤＭＩ（登録商標）ケーブル２２、２３を介してデイジーチェーン接続される。プロジェクター２００Ａは、プロジェクター２００Ｂ又は２００Ｃを制御する制御情報を、画像データとともにＨＤＭＩケーブル２２のデータ線を介してプロジェクター２００Ｂに出力する。プロジェクター２００Ｂは、ＨＤＭＩケーブル２２のデータ線から入力される制御情報を取り出して処理する。【選択図】図１
2018050144.tif 000002
【特許請求の範囲】
【請求項１】
制御装置と、少なくとも１つのプロジェクターとを備えるプロジェクションシステムであって、
前記制御装置と前記プロジェクター、又は、前記制御装置と前記プロジェクター、及び各々の前記プロジェクターは、ケーブルを介してデイジーチェーン接続され、
前記ケーブルは、画像データを伝送するデータ線を有し、
前記制御装置は、前記プロジェクターを制御する制御情報を、前記画像データとともに前記データ線を介して前記プロジェクターに出力し、
前記プロジェクターは、前記ケーブルの前記データ線から入力される前記制御情報を取り出して処理するプロジェクションシステム。
【請求項２】
前記制御装置にデイジーチェーン接続された前記プロジェクターのうち末端に位置する前記プロジェクターと、前記制御装置とを、ループ用ケーブルにより接続した請求項１記載のプロジェクションシステム。
【請求項３】
前記ループ用ケーブルは画像データを伝送するデータ線を有し、
前記プロジェクターのうち末端に位置する前記プロジェクターは、前記ループ用ケーブルの前記データ線に前記制御情報を出力し、
前記制御装置は、前記ループ用ケーブルの前記データ線から入力される前記制御情報を取り出して処理する請求項２記載のプロジェクションシステム。
【請求項４】
前記プロジェクションシステムは、前記プロジェクターを複数備え、
各々の前記プロジェクターに、前記プロジェクターを識別する識別情報が設定され、
前記制御装置は、前記制御情報を、宛先の前記プロジェクターの識別情報とともに前記ケーブルに出力し、
前記プロジェクターは、前記ケーブルから入力される前記制御情報のうち、設定された前記識別情報を含む前記制御情報に対応する処理を実行し、実行した処理の結果を示す結果情報を前記ケーブルの前記データ線に出力する請求項１から３のいずれかに記載のプロジェクションシステム。
【請求項５】
前記末端に位置する前記プロジェクターは、他の前記プロジェクターが前記ケーブルに出力した前記結果情報を、前記ループ用ケーブルの前記データ線に出力する請求項４記載のプロジェクションシステム。
【請求項６】
前記末端に位置する前記プロジェクターは、前記ケーブルから入力される前記画像データのデータ量を小さくした低容量画像データと前記結果情報とを、前記ループ用ケーブルの前記データ線に出力する請求項４又は５記載のプロジェクションシステム。
【請求項７】
前記プロジェクションシステムは、前記プロジェクターを１つ備え、
前記プロジェクターには、前記プロジェクターを識別する識別情報が設定され、
前記制御装置は、前記制御情報を、前記プロジェクターの識別情報とともに前記ケーブルに出力し、
前記プロジェクターは、前記ケーブルから入力される前記制御情報に対応する処理を実行し、実行した処理の結果を示す結果情報を、前記ループ用ケーブルの前記データ線に出力する請求項２又は３記載のプロジェクションシステム。
【請求項８】
前記プロジェクターは、前記ケーブルから入力される前記画像データのデータ量を小さくした低容量画像データと前記結果情報とを、前記ループ用ケーブルの前記データ線に出力する請求項７記載のプロジェクションシステム。
【請求項９】
前記ケーブルはＨＤＭＩ（登録商標）ケーブルであり、
前記制御装置及び前記プロジェクターは、前記制御情報を、ＨＤＭＩプロトコルのインフォフレームに含めて前記データ線に出力する請求項１から７のいずれかに記載のプロジェクションシステム。
【請求項１０】
複数の前記プロジェクターが投射する画像を投射面において重ね合わせて、タイリング画像を投射し、
前記制御装置が出力する前記制御情報は、前記タイリング画像における各々の前記プロジェクターが投射する画像の位置を設定する設定情報、及び前記タイリング画像において前記画像が重ね合わされる重畳領域に対するエッジブレンディング処理に関する設定情報のうち、少なくともいずれかを含む請求項１から９のいずれか１項に記載のプロジェクションシステム。
【請求項１１】
前記制御装置は、画像を投射するプロジェクターである請求項１から１０のいずれかに記載のプロジェクションシステム。
【請求項１２】
少なくとも１つのプロジェクターとともにプロジェクションシステムを構成する制御装置であって、
前記制御装置と前記プロジェクター、又は前記制御装置と前記プロジェクター、及び各々の前記プロジェクターは、画像データを伝送するデータ線を有するケーブルを介してデイジーチェーン接続され、
前記制御装置は、前記プロジェクターを制御する制御情報を、前記画像データとともに前記データ線を介して前記プロジェクターに出力する送信部を備える制御装置。
【請求項１３】
制御装置と、少なくとも１つのプロジェクターとを備えるプロジェクションシステムの制御方法であって、
前記制御装置と前記プロジェクター、又は、前記制御装置と前記プロジェクター、及び各々の前記プロジェクターは、ケーブルを介してデイジーチェーン接続され、
前記ケーブルは、画像データを伝送するデータ線を有し、
前記制御装置は、前記プロジェクターを制御する制御情報を、前記画像データとともに前記データ線を介して前記プロジェクターに出力し、
前記プロジェクターは、前記ケーブルの前記データ線から入力される前記制御情報を取り出して処理するプロジェクションシステムの制御方法。
【発明の詳細な説明】
【技術分野】
【０００１】
本発明は、プロジェクションシステム、制御装置、及びプロジェクションシステムの制御方法に関する。
【背景技術】
【０００２】
従来、複数のプロジェクターをケーブルで接続し、接続された複数のプロジェクターにより画像を投射するプロジェクションシステムが知られている（例えば、特許文献１参照）。
特許文献１は、複数のプロジェクターの間を、画像伝送用のケーブル、及びコマンドの送信用のケーブルによりいわゆるデイジーチェーンの方式により接続した画像投射システムを開示する。
【先行技術文献】
【特許文献】
【０００３】
【特許文献１】特開２００８−２１６８０５号公報
【発明の概要】
【発明が解決しようとする課題】
【０００４】
しかしながら、特許文献１の画像投射システムは、複数のプロジェクター間を、複数本のケーブルを用いてそれぞれに接続する構成であるため、各プロジェクターに、ケーブルを接続するためのインターフェイスを複数搭載しなければならない。このため、各プロジェクターの構成が複雑化し、かつ大型化してしまう。また、プロジェクター間を、複数本のケーブルを用いてそれぞれに接続する構成であるため、設置状況が非常に見苦しくなる。
本発明は、簡易な接続構成を実現し、複数のプロジェクターを制御装置の制御によって動作させることを目的とする。
【課題を解決するための手段】
【０００５】
上記課題を解決するため、本発明は、制御装置と、少なくとも１つのプロジェクターとを備えるプロジェクションシステムであって、前記制御装置と前記プロジェクター、又は、前記制御装置と前記プロジェクター、及び各々の前記プロジェクターは、ケーブルを介してデイジーチェーン接続され、前記ケーブルは、画像データを伝送するデータ線を有し、前記制御装置は、前記プロジェクターを制御する制御情報を、前記画像データとともに前記データ線を介して前記プロジェクターに出力し、前記プロジェクターは、前記ケーブルの前記データ線から入力される前記制御情報を取り出して処理する。
本発明によれば、制御装置は、画像データを伝送するデータ線により、制御情報をプロジェクターに出力することができる。従って、制御装置とプロジェクター、又は、制御装置とプロジェクター、及び各々のプロジェクターをケーブルで接続した簡易な接続構成であっても、制御装置からプロジェクターに画像データと制御情報とを送信することができる。
【０００６】
また、本発明は、前記制御装置にデイジーチェーン接続された前記プロジェクターのうち末端に位置する前記プロジェクターと、前記制御装置とを、ループ用ケーブルにより接続した。
本発明によれば、末端に位置するプロジェクターと制御装置とがループ用ケーブルを介して接続されるため、例えば、末端に位置するプロジェクターから制御装置に情報を出力することができ、プロジェクターから末端に位置するプロジェクターに情報を出力することができる。
【０００７】
また、本発明は、前記ループ用ケーブルは画像データを伝送するデータ線を有し、前記プロジェクターのうち末端に位置する前記プロジェクターは、前記ループ用ケーブルの前記データ線に前記制御情報を出力し、前記制御装置は、前記ループ用ケーブルの前記データ線から入力される前記制御情報を取り出して処理する。
本発明によれば、末端に位置するプロジェクターは、ループ用ケーブルのデータ線を介して制御装置に制御情報を出力することができる。従って、末端に位置するプロジェクターから制御装置に、ループ用ケーブルを介して画像データと制御情報とを出力することができる。
【０００８】
また、本発明は、前記プロジェクションシステムは、前記プロジェクターを複数備え、各々の前記プロジェクターに、前記プロジェクターを識別する識別情報が設定され、前記制御装置は、前記制御情報を、宛先の前記プロジェクターの識別情報とともに前記ケーブルに出力し、前記プロジェクターは、前記ケーブルから入力される前記制御情報のうち、設定された前記識別情報を含む前記制御情報に対応する処理を実行し、実行した処理の結果を示す結果情報を前記ケーブルの前記データ線に出力する。
本発明によれば、プロジェクターが、ケーブルから入力される制御情報のうち、設定された識別情報を含む制御情報に対応する処理を実行して、実行した処理の結果を示す結果情報をケーブルのデータ線に出力する。従って、制御装置が出力する制御情報によりプロジェクターに処理を実行させることができる。
【０００９】
また、本発明は、前記末端に位置する前記プロジェクターは、他の前記プロジェクターが前記ケーブルに出力した前記結果情報を、前記ループ用ケーブルの前記データ線に出力する。
本発明によれば、末端に位置するプロジェクターが、制御情報に対応する処理の結果を示す結果情報を、制御装置に出力することができる。
【００１０】
また、本発明は、前記末端に位置する前記プロジェクターは、前記ケーブルから入力される前記画像データのデータ量を小さくした低容量画像データと前記結果情報とを、前記ループ用ケーブルの前記データ線に出力する。
本発明によれば、末端に位置するプロジェクターが、画像データのデータ量を小さくした低容量画像データと結果情報とをループ用ケーブルのデータ線に出力する。従って、ループ用ケーブルで伝送エラー等が生じる確率を低減して、低容量画像データと結果情報とを制御装置に確実に伝送することができる。
【００１１】
また、本発明は、前記プロジェクションシステムは、前記プロジェクターを１つ備え、前記プロジェクターには、前記プロジェクターを識別する識別情報が設定され、前記制御装置は、前記制御情報を、前記プロジェクターの識別情報とともに前記ケーブルに出力し、前記プロジェクターは、前記ケーブルから入力される前記制御情報に対応する処理を実行し、実行した処理の結果を示す結果情報を、前記ループ用ケーブルの前記データ線に出力する。
本発明によれば、プロジェクターが制御情報に対応する処理を実行して、実行した処理の結果を示す結果情報をケーブルのデータ線に出力する。従って、制御装置が出力する制御情報によりプロジェクターに処理を実行させることができる。
【００１２】
また、本発明は、前記プロジェクターは、前記ケーブルから入力される前記画像データのデータ量を小さくした低容量画像データと前記結果情報とを、前記ループ用ケーブルの前記データ線に出力する。
本発明によれば、プロジェクターが、画像データのデータ量を小さくした低容量画像データと結果情報とをループ用ケーブルのデータ線に出力する。従って、ループ用ケーブルで伝送エラー等が生じる確率を低減して、低容量画像データと結果情報とを制御装置に確実に伝送することができる。
【００１３】
また、本発明は、前記ケーブルはＨＤＭＩ（登録商標）ケーブルであり、前記制御装置及び前記プロジェクターは、前記制御情報を、ＨＤＭＩプロトコルのインフォフレームに含めて前記データ線に出力する。
本発明によれば、制御情報が、ＨＤＭＩプロトコルのインフォフレームに含めてデータ線に出力される。従って、制御装置及びプロジェクターは、既存のＨＤＭＩプロトコルを変更することなく、ＨＤＭＩケーブルのデータ線により制御情報を伝送させることができる。
【００１４】
また、本発明は、複数の前記プロジェクターが投射する画像を投射面において重ね合わせて、タイリング画像を投射し、前記制御装置が出力する前記制御情報は、前記タイリング画像における各々の前記プロジェクターが投射する画像の位置を設定する設定情報、及び前記タイリング画像において前記画像が重ね合わされる重畳領域に対するエッジブレンディング処理に関する設定情報のうち、少なくともいずれかを含む。
本発明によれば、制御装置は、プロジェクターが投射する画像の位置の設定や、画像が重ね合わされる重畳領域に対するエッジブレンディング処理に関する設定を、制御情報としてケーブルのデータ線に出力する。従って、プロジェクターは、ケーブルのデータ線から入力される制御情報を取り出し、投射する画像の位置を設定したり、エッジブレンディング処理に関する設定をしたりすることができる。
【００１５】
また、本発明は、前記制御装置は、画像を投射するプロジェクターである。
本発明によれば、制御装置として動作させる装置を別途用意することなく、プロジェクションシステムのプロジェクターを制御装置として動作させることができる。
【００１６】
上記課題を解決するため、本発明は、少なくとも１つのプロジェクターとともにプロジェクションシステムを構成する制御装置であって、前記制御装置と前記プロジェクター、又は前記制御装置と前記プロジェクター、及び各々の前記プロジェクターは、画像データを伝送するデータ線を有するケーブルを介してデイジーチェーン接続され、前記制御装置は、前記プロジェクターを制御する制御情報を、前記画像データとともに前記データ線を介して前記プロジェクターに出力する送信部を備える。
本発明によれば、制御装置は、画像データを伝送するデータ線により、制御情報をプロジェクターに出力することができる。従って、制御装置とプロジェクター、又は、制御装置とプロジェクター、及び各々のプロジェクターをケーブルで接続した簡易な接続構成であっても、制御装置からプロジェクターに画像データと制御情報とを送信することができる。
【００１７】
上記課題を解決するため、本発明は、制御装置と、少なくとも１つのプロジェクターとを備えるプロジェクションシステムの制御方法であって、前記制御装置と前記プロジェクター、又は、前記制御装置と前記プロジェクター、及び各々の前記プロジェクターは、ケーブルを介してデイジーチェーン接続され、前記ケーブルは、画像データを伝送するデータ線を有し、前記制御装置は、前記プロジェクターを制御する制御情報を、前記画像データとともに前記データ線を介して前記プロジェクターに出力し、前記プロジェクターは、前記ケーブルの前記データ線から入力される前記制御情報を取り出して処理する。
本発明によれば、制御装置は、画像データを伝送するデータ線により、制御情報をプロジェクターに出力することができる。従って、制御装置とプロジェクター、又は、制御装置とプロジェクター、及び各々のプロジェクターをケーブルで接続した簡易な接続構成であっても、制御装置からプロジェクターに画像データと制御情報とを送信することができる。
【図面の簡単な説明】
【００１８】
【図１】プロジェクションシステムの概略を示すシステム構成図。
【図２】プロジェクターの構成を示す構成図。
【図３】プロジェクターの動作を示すフローチャート。
【図４】プロジェクターの動作を示すフローチャート。
【発明を実施するための形態】
【００１９】
以下、添付図面を参照して本発明の実施形態について説明する。
図１は、本発明を適用した実施形態のシステム構成図である。
本実施形態のプロジェクションシステム１は、画像供給装置１００と、複数のプロジェクター２００とを備える。図１には、複数のプロジェクター２００としてプロジェクター２００Ａ、２００Ｂ、２００Ｃの３機のプロジェクター２００を示すが、プロジェクター２００の数は３機に限定されるものではない。プロジェクションシステム１は、マスター機としてのプロジェクター２００と、スレイブ機としてのプロジェクター２００とを少なくとも１機ずつ備えていればよい。なお、マスター機及びスレイブ機については後述する。
【００２０】
画像供給装置１００は、マスター機として動作するプロジェクター２００に接続され、マスター機のプロジェクター２００にＨＤＭＩ（登録商標）信号を供給する。ＨＤＭＩ信号には、少なくとも画像データが含まれ、この他に音声データが含まれていてもよい。また、画像データは、動画像の画像データであってもよいし、静止画像の画像データであってもよい。
本実施形態では、プロジェクター２００Ａが画像供給装置１００に接続されるマスター機として動作する。プロジェクター２００Ａは、本発明の「制御装置」として動作する。マスター機であるプロジェクター２００Ａは、スレイブ機として動作するプロジェクター２００Ｂや２００Ｃに、画像供給装置１００から受信したＨＤＭＩ信号を送信する。また、プロジェクター２００Ａは、プロジェクター２００Ｂや２００Ｃに制御信号を送信して、プロジェクター２００Ｂや２００Ｃの動作を制御する。スレイブ機であるプロジェクター２００Ｂ及び２００Ｃは、プロジェクター２００Ａの制御に従って動作する。
【００２１】
画像供給装置１００は、制御部１１０、再生部１２０、記録媒体１３０、ＨＤＭＩインターフェイス（以下、インターフェイスをＩ／Ｆと略記する）部１４０を備える。ＨＤＭＩＩ／Ｆ部１４０は、本発明の「送信部」に相当する。
制御部１１０は、画像供給装置１００を制御する。再生部１２０は、制御部１１０の制御により、ＤＶＤやＢｌｕ−ｒａｙ（登録商標）等の記録媒体１３０に記録されたコンテンツを再生する。また、再生部１２０は、再生したコンテンツの画像データや音声データをＨＤＭＩＩ／Ｆ部１４０に出力する。
ＨＤＭＩＩ／Ｆ部１４０は、ＨＤＭＩケーブル２１に接続される。ＨＤＭＩケーブル２１は、一方の端部をＨＤＭＩＩ／Ｆ部１４０に接続し、他方の端部をプロジェクター２００ＡのＨＤＭＩＩ／Ｆ部２５０Ａに接続する。ＨＤＭＩＩ／Ｆ部１４０は、入力される画像データ及び音声データを、制御部１１０の制御に基づいて、所定の伝送フォーマットのＨＤＭＩ信号に変換する。ＨＤＭＩＩ／Ｆ部１４０は、制御部１１０の制御に基づき、ＨＤＭＩ信号をＨＤＭＩケーブル２１に出力する。
なお、再生部１２０は、フラッシュメモリー等の半導体記憶装置やＨＤＤ等の磁気記憶装置、光磁気記憶装置に記憶されたコンテンツを再生してもよい。また、ネットワーク上のサーバ装置からダウンロードされたコンテンツを再生部１２０で再生する構成であってもよい。さらに、再生部１２０が再生するコンテンツは、音声データを含まない、動画像や静止画像の画像データであってもよいし、プレゼンテーションソフトウェアにより作成されたスライド動画であってもよい。
【００２２】
画像供給装置１００には、例えばノート型ＰＣ(Personal Computer)、デスクトップ型ＰＣやタブレット端末、スマートフォン、ＰＤＡ（Personal Digital Assistant）等を用いることができる。また、画像供給装置１００として、ビデオ再生装置、ＤＶＤ（Digital Versatile Disk）プレーヤー、Ｂｌｕ−ｒａｙディスクプレーヤー、ハードディスクレコーダー、テレビチューナー装置、ＣＡＴＶ（Cable television）のセットトップボックス、ビデオゲーム機等を用いてもよい。
【００２３】
プロジェクター２００Ａ、２００Ｂ及び２００Ｃは、ＨＤＭＩケーブル２２、２３によりデイジーチェーン接続される。プロジェクター２００Ｂは、ＨＤＭＩケーブル２２を介してプロジェクター２００Ａに接続する。プロジェクター２００Ｃは、ＨＤＭＩケーブル２３を介してプロジェクター２００Ｂに接続する。プロジェクター２００Ｃは、本発明の「末端に位置するプロジェクター」に相当する。また、マスター機であるプロジェクター２００Ａと、末端に位置するプロジェクター２００Ｃとは、ＨＤＭＩケーブル２４により接続される。ＨＤＭＩケーブル２４は、本発明の「ループ用ケーブル」に相当する。
【００２４】
プロジェクター２００Ａは、ＨＤＭＩＩ／Ｆ部２５０Ａを備える。ＨＤＭＩＩ／Ｆ部２５０Ａは、ＨＤＭＩ受信部２５２Ａ、２５４Ａ及びＨＤＭＩ送信部２５６Ａを備える。ＨＤＭＩ受信部２５２Ａは、ＨＤＭＩケーブル２１により画像供給装置１００に接続される。ＨＤＭＩ受信部２５４Ａは、ＨＤＭＩケーブル２４によりプロジェクター２００Ｃに接続される。また、ＨＤＭＩ送信部２５６Ａは、ＨＤＭＩケーブル２２によりプロジェクター２００Ｂに接続される。
【００２５】
プロジェクター２００Ａは、画像供給装置１００から送信されるＨＤＭＩ信号をＨＤＭＩ受信部２５２Ａで受信する。プロジェクター２００Ａは、受信したＨＤＭＩ信号を取り込んでプロジェクター２００Ａ内の画像処理部２６０Ａ（図２参照）で処理する。また、プロジェクター２００Ａは、ＨＤＭＩ送信部２５６Ａにより、ＨＤＭＩ信号をプロジェクター２００Ｂに送信する。また、プロジェクター２００Ａは、プロジェクター２００Ｃから送信されるＨＤＭＩ信号をＨＤＭＩ受信部２５４Ａで受信する。
【００２６】
プロジェクター２００Ｂは、ＨＤＭＩＩ／Ｆ部２５０Ｂを備える。ＨＤＭＩＩ／Ｆ部２５０Ｂは、ＨＤＭＩ受信部２５４Ｂと、ＨＤＭＩ送信部２５６Ｂとを備える。ＨＤＭＩ受信部２５４Ｂは、ＨＤＭＩケーブル２２によりプロジェクター２００Ａに接続される。ＨＤＭＩ送信部２５６Ｂは、ＨＤＭＩケーブル２３によりプロジェクター２００Ｃに接続される。
プロジェクター２００Ｂは、プロジェクター２００Ａから送信されるＨＤＭＩ信号をＨＤＭＩ受信部２５４Ｂで受信する。プロジェクター２００Ｂは、受信したＨＤＭＩ信号を取り込んでプロジェクター２００Ｂ内の画像処理部２６０Ｂ（図示略）で処理する。また、プロジェクター２００Ｂは、ＨＤＭＩ送信部２５６Ｂにより、ＨＤＭＩ信号をプロジェクター２００Ｃに送信する。
【００２７】
プロジェクター２００Ｃは、ＨＤＭＩＩ／Ｆ部２５０Ｃを備える。ＨＤＭＩＩ／Ｆ部２５０Ｃは、ＨＤＭＩ受信部２５４Ｃと、ＨＤＭＩ送信部２５６Ｃとを備える。ＨＤＭＩ受信部２５４Ｃは、ＨＤＭＩケーブル２３によりプロジェクター２００Ｂに接続される。ＨＤＭＩ送信部２５６Ｃは、ＨＤＭＩケーブル２４によりプロジェクター２００Ａに接続される。
プロジェクター２００Ｃは、プロジェクター２００Ｂから送信されるＨＤＭＩ信号をＨＤＭＩ受信部２５４Ｃで受信する。プロジェクター２００Ｃは、受信したＨＤＭＩ信号を取り込んでプロジェクター２００Ｃ内の画像処理部２６０Ｃ（図示略）で処理する。また、プロジェクター２００Ｃは、ＨＤＭＩ送信部２５６Ｃにより、ＨＤＭＩ信号をプロジェクター２００Ａに送信する。
【００２８】
ＨＤＭＩケーブル２１、２２、２３及び２４は、画像データや音声データ、制御情報の伝送用のデータ線を有する。このデータ線は、ＴＭＤＳ（Transition Minimized Differential Signaling）チャネル＃０，＃１，＃２の３つのデータ線である。これらのデータ線は、ＨＤＭＩ信号を一方向にシリアルに伝送するデータ線である。ＴＭＤＳチャネル＃０，＃１，＃２の３つのデータ線は、本発明の「画像データを伝送するデータ線」に相当する。また、ＨＤＭＩケーブル２１、２２、２３及び２４は、この他に、ＣＥＣ（Consumer Electronics Control）線やＤＤＣ（Display Data Channel）線を有する。ＣＥＣ線は、ＨＤＭＩケーブルに接続した機器間で、制御用のデータを双方向に通信する信号線である。ＤＤＣ線は、Ｅ−ＥＤＩＤ（Enhanced Extended Display Identification Data）の読み出しに使用される２本の信号線である。Ｅ−ＥＤＩＤは、ＨＤＭＩ信号の供給を受ける側の装置であるシンク機器を特定するデバイス情報である。ＨＤＭＩケーブル２１に接続した画像供給装置１００とプロジェクター２００Ａとの間では、プロジェクター２００Ａがシンク機器に相当する。ＨＤＭＩケーブル２２に接続したプロジェクター２００Ａとプロジェクター２００Ｂとの間では、プロジェクター２００Ｂがシンク機器に相当する。ＨＤＭＩケーブル２３に接続したプロジェクター２００Ｂとプロジェクター２００Ｃとの間では、プロジェクター２００Ｃがシンク機器に相当する。ＨＤＭＩケーブル２４に接続したプロジェクター２００Ｃとプロジェクター２００Ａとの間では、プロジェクター２００Ａがシンク機器に相当する。
【００２９】
図１には、プロジェクター２００Ａ、２００Ｂ及び２００Ｃを横一列に配置し、スクリーンＳＣに、各プロジェクター２００が画像を横並びで投射する場合を示す。プロジェクター２００Ａは、画像をスクリーンＳＣの投射領域１０Ａに投射し、プロジェクター２００Ｂは、画像をスクリーンＳＣの投射領域１０Ｂに投射し、プロジェクター２００Ｃは、画像をスクリーンＳＣの投射領域１０Ｃに投射する。スクリーンＳＣは、本発明の「投射面」に相当する。
【００３０】
プロジェクションシステム１は、プロジェクター２００Ａ、２００Ｂ及び２００Ｃが投射する画像を組み合わせ、スクリーンＳＣ上に一つの大画面の画像を投射するタイリング投射を行う。タイリング投射では、プロジェクター２００は、投射する画像の縁が隣接するプロジェクター２００が投射する画像の縁と互いに重なり合うように画像を投射する。これは、投射される画像の境界が目立たないようにするためである。例えば、プロジェクター２００Ａが投射する画像と、その右側に位置するプロジェクター２００Ｂが投射する画像とは、互いの縁が重なって重畳領域１１を形成する。同様に、プロジェクター２００Ｂが投射する画像と、その右側に位置するプロジェクター２００Ｃが投射する画像とは、互いの縁が重なって重畳領域１２を形成する。
【００３１】
また、本実施形態は、プロジェクター２００Ａ〜２００Ｃが画像を投射する投射対象がスクリーンＳＣである場合を例にして説明するが、投射対象は、スクリーンＳＣに限定されない。投射対象は、一様な平面であってもよいし、曲面、不連続面あるいは凹凸を有する面などであってもよい。具体的には、建物の壁面や物体の表面を投射対象とすることができる。
また、プロジェクター２００Ａ〜２００Ｃの設置方法は、平置きに限定されるものではなく、プロジェクター２００Ａ〜２００Ｃを天井から吊り下げる天吊り設置や、壁面に掛ける壁掛け設置とすることも可能である。
また、図１には、プロジェクター２００Ａ〜２００Ｃを横一列に並べて配置した場合を示すが、例えば、４機のプロジェクター２００を接続した構成の場合、４機のプロジェクター２００を２行２列に並べて配置することも可能である。
【００３２】
図２は、プロジェクター２００Ａの構成を示す構成図である。プロジェクター２００Ａは、ＨＤＭＩＩ／Ｆ部２５０Ａが２つのＨＤＭＩ受信部２５２Ａ及び２５４Ａを備える点でプロジェクター２００Ｂ及び２００Ｃとは構成が異なる。しかし、これ以外の構成は、プロジェクター２００Ａ〜２００Ｃで共通であるため、代表してプロジェクター２００Ａの構成について説明する。
また、以下の説明では、プロジェクター２００Ａの機能ブロックには「Ａ」の符号を付し、プロジェクター２００Ｂの機能ブロックには「Ｂ」の符号を付し、プロジェクター２００Ｃの機能ブロックには「Ｃ」の符号を付して説明する。これは、プロジェクター２００Ａの機能ブロックと同一名称のプロジェクター２００Ｂの機能ブロック、及び同一名称のプロジェクター２００Ｃの機能ブロックを区別するためである。例えば、プロジェクター２００Ａの制御部を制御部２８０Ａと表記し、プロジェクター２００Ｂの制御部を制御部２８０Ｂと表記し、プロジェクター２００Ｃの制御部を制御部２８０Ｃと表記する。
【００３３】
プロジェクター２００ＡのＨＤＭＩＩ／Ｆ部２５０Ａは、ＨＤＭＩ受信部２５２Ａ、２５４Ａと、ＨＤＭＩ送信部２５６Ａとを備える。
ＨＤＭＩ受信部２５２Ａ及び２５４Ａは、ＨＤＭＩケーブル２１、２４のそれぞれに接続する接続端子と、受信したＨＤＭＩ信号を処理して、画像データや音声データ、制御情報に変換するインターフェイス回路とをそれぞれに備える。
また、ＨＤＭＩ送信部２５６Ａは、ＨＤＭＩケーブル２２を接続する接続端子と、画像データや音声データ、制御情報をＨＤＭＩ信号に変換するインターフェイス回路とを備える。
【００３４】
プロジェクター２００Ａは、光学的な画像の形成を行い、スクリーンＳＣに画像を投射する表示部２１０Ａを備える。表示部２１０Ａは、光源部２１１Ａ、光変調装置２１２Ａ及び投射光学系２１３Ａを備える。
光源部２１１Ａは、キセノンランプや、超高圧水銀ランプ、ＬＥＤ（Light Emitting Diode）、レーザー光源等からなる光源を備える。また、光源部２１１Ａは、光源が発した光を光変調装置２１２Ａに導くリフレクター及び補助リフレクターを備えていてもよい。さらに、光源部２１１Ａは、投射光の光学特性を高めるためのレンズ群、偏光板、又は光源が発した光の光量を光変調装置２１２Ａに至る経路上で低減させる調光素子等（いずれも図示略）を備えていてもよい。
【００３５】
光源部２１１Ａは、光源駆動部２２１Ａにより駆動される。光源駆動部２２１Ａは、内部バス２９０Ａに接続され、同じく内部バス２９０Ａに接続された制御部２８０Ａの制御によって光源部２１１Ａの光源を点灯及び消灯させる。
【００３６】
光変調装置２１２Ａは、例えば、ＲＧＢの三原色に対応した３枚の液晶パネルを備える。光源部２１１Ａが発する光はＲＧＢの３色の色光に分離され、それぞれ対応する液晶パネルに入射される。３枚の液晶パネルは、透過型の液晶パネルであり、透過する光を変調して画像光を生成する。各液晶パネルを通過して変調された画像光は、クロスダイクロイックプリズム等の合成光学系によって合成され、投射光学系２１３Ａに射出される。
【００３７】
光変調装置２１２Ａは、光変調装置駆動部２２２Ａにより駆動される。光変調装置駆動部２２２Ａは、内部バス２９０Ａに接続される。
光変調装置駆動部２２２Ａには、画像処理部２６０ＡからＲ，Ｇ，Ｂの各原色に対応する画像データが入力される。光変調装置駆動部２２２Ａは、入力された画像データを液晶パネルの動作に適したデータ信号に変換する。光変調装置駆動部２２２Ａは、変換したデータ信号に基づいて、各液晶パネルの各画素に電圧を印加し、各液晶パネルに画像を描画する。
【００３８】
投射光学系２１３Ａは、光変調装置２１２Ａにより変調された画像光をスクリーンＳＣに投射して、スクリーンＳＣ上に結像させるレンズ群を備える。また、投射光学系２１３Ａは、スクリーンＳＣに投射される画像を拡大又は縮小させるズーム機構や、フォーカスの調整を行うフォーカス調整機構を備えていてもよい。
【００３９】
プロジェクター２００Ａは、操作パネル２３１Ａ、リモコン受光部２３５Ａ及び入力処理部２３３Ａを備える。操作パネル２３１Ａ及びリモコン受光部２３５Ａは、内部バス２９０Ａに接続された入力処理部２３３Ａに接続される。
操作パネル２３１Ａには、プロジェクター２００Ａを操作するための各種操作キーが設けられる。操作パネル２３１Ａには、例えば、プロジェクター２００Ａの電源オン又は電源オフを指示するための電源キー、各種設定を行うためのメニューキー等が設けられる。入力処理部２３３Ａは、操作キーが操作されると、操作されたキーに対応した操作信号を制御部２８０に出力する。
【００４０】
また、プロジェクター２００Ａは、ユーザーが使用するリモコン５を有する。リモコン５は各種のボタンを備えており、これらのボタンの操作に対応して赤外線信号を送信する。
リモコン受光部２３５Ａは、リモコン５から送信される赤外線信号を受光する。入力処理部２３３Ａは、リモコン受光部２３５Ａが受光した赤外線信号をデコードして、リモコン５における操作内容を示す操作信号を生成し、制御部２８０Ａに出力する。
【００４１】
プロジェクター２００Ａは、音声処理部２４０Ａ及びスピーカー２４３Ａを備える。
音声処理部２４０Ａは、音声データに復号化、Ｄ／Ａ変換、増幅等の信号処理を施し、アナログの音声信号に変換してスピーカー２４３Ａに出力する。
【００４２】
プロジェクター２００Ａは、撮像部２４５Ａを備える。
撮像部２４５Ａは、撮像光学系、撮像素子及びインターフェイス回路等を有するカメラを備え、制御部２８０Ａの制御に従って撮像画像データを生成する。撮像部２４５Ａは、生成した撮像画像データを制御部２８０Ａに出力する。
【００４３】
プロジェクター２００Ａは、無線通信部２４７Ａを備える。無線通信部２４７Ａは、内部バス２９０Ａに接続され、制御部２８０Ａの制御に従って動作する。
無線通信部２４７Ａは、図示しないアンテナやＲＦ（Radio Frequency）回路等を備え、制御部２８０Ａの制御の下、外部の装置との間で無線通信を実行する。無線通信部２４７Ａの無線通信方式には、例えば無線ＬＡＮ（Local Area Network）、Bluetooth（登録商標）、ＵＷＢ（Ultra Wide Band）、赤外線通信等の近距離無線通信方式を採用できる。また、無線通信部２４７Ａの無線通信方式として携帯電話回線を利用した無線通信方式を採用できる。
【００４４】
プロジェクター２００Ａは、画像処理系を備える。この画像処理系は、プロジェクター２００Ａの全体を統合的に制御する制御部２８０Ａを中心に構成され、この他に、画像処理部２６０Ａ、フレームメモリー２６５Ａ及び記憶部２７０Ａを備える。制御部２８０Ａ、画像処理部２６０Ａ及び記憶部２７０Ａは、内部バス２９０Ａによりデータ通信可能に相互に接続される。
【００４５】
画像処理部２６０Ａは、画像供給装置１００から受信した画像データをフレームメモリー２６５Ａに展開して処理する。画像処理部２６０Ａが行う処理には、例えば、解像度変換（スケーリング）処理又はリサイズ処理、歪み補正等の形状補正処理、デジタルズーム処理、色調補正処理、輝度補正処理等が含まれる。画像処理部２６０Ａは、制御部２８０Ａにより指定された処理を実行し、必要に応じて、制御部２８０Ａから入力されるパラメーターを使用して処理を行う。また、画像処理部２６０Ａは、上記のうち複数の処理を組み合わせて実行することも勿論可能である。画像処理部２６０Ａは、処理が終了した画像データをフレームメモリー２６５Ａから読み出し、光変調装置駆動部２２２Ａに出力する。
【００４６】
記憶部２７０Ａは、例えば、ハードディスク装置等の補助記憶装置である。記憶部２７０Ａは、ＤＲＡＭ（Dynamic RAM）、大容量の情報の記憶が可能なフラッシュメモリー又はＣＤ（Compact Disc）、ＤＶＤ（Digital Versatile Disc）、ＢＤ（Blu-ray Disc）等の光ディスクで代替されてもよい。記憶部２７０Ａは、制御部２８０Ａが実行する制御プログラムや各種データを記憶する。また、記憶部２７０Ａには、デイジーチェーン接続されたプロジェクター２００Ａ、２００Ｂ及び２００Ｃの識別情報が記憶される。記憶部２７０Ｂ及び２７０Ｃについても同様である。各プロジェクター２００の識別情報は、ユーザーが操作パネル２３１Ａを操作して入力してもよいし、ＤＤＣ線を介してＥ−ＥＤＩＤから読み出したデバイス情報を使用してもよい。プロジェクター２００Ｂのデバイス情報は、プロジェクター２００Ａが直接、プロジェクター２００Ｂから読み出し、プロジェクター２００Ｃのデバイス情報は、プロジェクター２００Ｂが読み出したプロジェクター２００Ｃのデバイス情報を、例えば、ＣＥＣ線を介してプロジェクター２００Ａに送信してもよい。
【００４７】
制御部２８０Ａは、ハードウェアとしてＣＰＵ、ＲＯＭ及びＲＡＭ（いずれも図示略）を備える。ＲＯＭは、フラッシュＲＯＭ等の不揮発性の記憶装置であり、制御プログラム及びデータを記憶する。ＲＡＭは、ＣＰＵのワークエリアを構成する。ＣＰＵは、ＲＯＭから読み出した制御プログラムをＲＡＭに展開し、展開された制御プログラムを実行してプロジェクター２００Ａの各部を制御する。
【００４８】
制御部２８０Ａは、機能ブロックとして、投射制御部２８１Ａ、分割表示制御部２８２Ａ及び通信制御部２８３Ａを備える。これらの機能ブロックは、ＲＡＭに展開された制御プログラムを実行することで実現される。
【００４９】
投射制御部２８１Ａは、プロジェクター２００Ａの各部を制御して、スクリーンＳＣに画像を表示させる。具体的には、投射制御部２８１Ａは、画像処理部２６０Ａに、画像データを処理させる。この際、投射制御部２８１Ａは、画像処理部２６０Ａの処理に必要なパラメーターを記憶部２７０Ａから読み出し、画像処理部２６０Ａに出力してもよい。
また、投射制御部２８１Ａは、光変調装置駆動部２２２Ａを制御して光変調装置２１２Ａの液晶パネルに画像を描画させる。さらに、投射制御部２８１Ａは、光源駆動部２２１Ａを制御して光源部２１１Ａの光源を点灯させ、光源の輝度を調整させる。これにより、光源が発光して光変調装置２１２Ａが変調する画像光が投射光学系２１３ＡによりスクリーンＳＣに投射される。
【００５０】
分割表示制御部２８２Ａは、タイリング投射を行う場合、画像供給装置１００から受信する画像データに対して、各プロジェクター２００に表示させる画像データの領域を設定する。まず、分割表示制御部２８２Ａは、プロジェクター２００Ａ、２００Ｂ、２００Ｃの投射領域を検出する。例えば、分割表示制御部２８２Ａは、プロジェクター２００Ａ、２００Ｂ、２００Ｃに、予め設定された投射画像を順番に投射させる。予め設定された投射画像は、各プロジェクター２００の投射領域１０Ａ、１０Ｂ、１０Ｃを判別可能なように、例えば全面黒色の画像を用いることができる。
分割表示制御部２８２Ａは、プロジェクター２００Ｂに予め設定された投射画像の投射を指示する場合、ＨＤＭＩケーブル２２に含まれるＣＥＣのデータ線を介してプロジェクター２００Ｂに投射を指示するコマンドを送信する。また、分割表示制御部２８２Ａは、プロジェクター２００Ｃに投射画像の投射を指示する場合、投射を指示するコマンドをプロジェクター２００Ｂに送信し、プロジェクター２００Ｂに、プロジェクター２００Ｃへのコマンドの送信を中継させる。
また、ユーザーに、プロジェクター２００Ｂを操作させて、プロジェクター２００Ｂに、予め設定された投射画像を投射させてもよい。分割表示制御部２８２Ａは、プロジェクター２００Ｂが投射画像を投射領域１０Ｂに投射したことを示す操作を、操作パネル２３１Ａ又はリモコン５により受け付けた場合に、撮像部２４５Ａに撮像画像データを生成させる。プロジェクター２００Ｃについても同様に、ユーザーに、プロジェクター２００Ｃを操作させ、プロジェクター２００Ｃに、予め設定された投射画像を投射させる。分割表示制御部２８２Ａは、プロジェクター２００Ｃが投射画像を投射領域１０Ｃに投射したことを示す操作を、操作パネル２３１Ａ又はリモコン５により受け付けた場合に、撮像部２４５Ａに撮像画像データを生成させる。
【００５１】
分割表示制御部２８２Ａは、投射領域１０Ａに投射画像が投射されると、撮像部２４５Ａに撮像画像データを生成させる。同様に、分割表示制御部２８２Ａは、投射領域１０Ｂに投射画像が投射されると、撮像部２４５Ａに撮像画像データを生成させ、投射領域１０Ｃに投射画像が投射されると、撮像部２４５Ａに撮像画像データを生成させる。
【００５２】
分割表示制御部２８２Ａは、撮像部２４５Ａから撮像画像データを取得し、取得した撮像画像データに基づき、スクリーンＳＣにおける各投射領域１０Ａ、１０Ｂ、１０Ｃの位置や範囲を示す情報（以下、投射範囲情報という）を生成する。分割表示制御部２８２Ａは、各投射領域１０Ａ、１０Ｂ、１０Ｃの投射範囲情報を、対応するプロジェクター２００の識別情報に対応付けて記憶部２７０Ａに記憶させる。
また、分割表示制御部２８２Ａは、生成した投射範囲情報に基づいて、投射領域１０Ａと投射領域１０Ｂとの重なり合う領域を検出し、検出した領域を重畳領域１１として設定する。同様に、分割表示制御部２８２Ａは、投射範囲情報に基づいて、投射領域１０Ｂと投射領域１０Ｃとの重なり合う領域を検出し、検出した領域を重畳領域１２として設定する。分割表示制御部２８２Ａは、設定した重畳領域１１及び１２の範囲を示す情報（以下、重畳範囲情報）を記憶部２７０Ａに記憶させる。
【００５３】
また、分割表示制御部２８２Ａは、生成した投射範囲情報に基づいて、各プロジェクター２００が投射を担当する画像データの範囲を設定する。分割表示制御部２８２Ａは、設定した画像データの範囲を示す情報（以下、画像範囲情報という）を記憶部２７０Ａに記憶させる。画像範囲情報は、本発明の「プロジェクターが投射する画像の位置を設定する情報」に相当する。
また、分割表示制御部２８２Ａは、生成した重畳範囲情報に基づいて、エッジブレンディング処理を行う範囲を設定し、設定した範囲において実行されるエッジブレンディング処理に用いるパラメーターを生成する。パラメーターには、例えば、画像データの画素値を減衰させる減衰開始位置を示すパラメーターや、画素値の減衰開始位置から減衰終了位置までの幅を示すパラメーター等が含まれる。分割表示制御部２８２Ａは、生成したパラメーターを記憶部２７０Ａに記憶させる。パラメーターは、本発明の「エッジブレンディング処理に関する設定情報」に相当する。
【００５４】
上述の説明では、分割表示制御部２８２Ａの制御により画像範囲情報等を生成する場合を説明したが、ユーザーに操作パネル２３１Ａを操作させ、操作パネル２３１Ａの操作に従って投射範囲情報や、重畳範囲情報、画像範囲情報等を生成してもよい。
【００５５】
通信制御部２８３Ａは、ＨＤＭＩＩ／Ｆ部２５０Ａを制御して、画像供給装置１００との通信、及びプロジェクター２００Ｂ及び２００Ｃとの通信を制御する。
また、通信制御部２８３Ａは、記憶部２７０Ａから画像範囲情報やパラメーター等を読み出し、ＨＤＭＩＩ／Ｆ部２５０Ａを制御して、プロジェクター２００Ｂやプロジェクター２００Ｃに送信する。より詳細には、通信制御部２８３Ａは、記憶部２７０Ａから読み出した画像範囲情報やパラメーター等の制御情報と、これらの制御情報の宛て先を示すプロジェクター２００の識別情報とを含むインフォフレームを生成する。通信制御部２８３Ａは、ＨＤＭＩＩ／Ｆ部２５０Ａを制御して、画像供給装置１００から供給される画像データの送信が途切れるブランキング期間に、インフォフレームを付加したＨＤＭＩ信号をプロジェクター２００Ｂに送信する。インフォフレームは、画像データや音声データの送信に使用されるＴＭＤＳチャネル＃０，＃１，＃２の３つのデータ線を利用して送信される。ブランキング期間には、垂直ブランキング期間及び水平ブランキング期間が含まれる。垂直ブランキング期間は、１フレームの画像データの出力を終えてから、次の１フレームの画像データの出力が開始されるまでの期間である。また、水平ブランキング期間は、１ラインの画像データの出力を終えてから、次の１ラインの画像データの出力が開始されるまでの期間である。
【００５６】
また、通信制御部２８３Ａは、１つのインフォフレームで制御情報を送信することができない場合、制御情報を複数のインフォフレームに分割して挿入し、制御情報を含むインフォフレームを複数回に分けてプロジェクター２００Ｂに送信する。また、１ブランキング期間のＨＤＭＩ信号では送信できない場合、ＨＤＭＩ送信部２５６Ａは、複数のブランキング期間に分けて、インフォフレームを複数回、プロジェクター２００Ｂに送信する。
【００５７】
プロジェクター２００Ｂの制御部２８０Ｂは、プロジェクター２００ＡからＨＤＭＩ信号を受信すると、受信したＨＤＭＩ信号を変換して、画像データや音声データ、制御情報を取り出す。制御部２８０Ｂは、受信したＨＤＭＩ信号に制御情報が含まれる場合、この制御情報を取り出して処理する。まず、制御部２８０Ｂは、宛て先を示すプロジェクター２００の識別情報に基づき、制御情報の宛て先がプロジェクター２００Ｂなのか、プロジェクター２００Ｃなのかを判定する。制御部２８０Ｂは、制御情報の宛て先がプロジェクター２００Ｂである場合、制御情報に基づいて、プロジェクター２００Ａから受信する画像データを処理する。また、制御部２８０Ｂは、制御情報の宛て先がプロジェクター２００Ｃである場合、制御情報を含むインフォフレームを生成し、画像データのブランキング期間のＨＤＭＩ信号に付加してプロジェクター２００Ｃに送信する。
また、制御部２８０Ｂは、プロジェクター２００Ｂ宛ての制御情報を受信すると、受信した制御情報に、欠落やエラー等が生じているか否かを判定する。制御部２８０Ｂは、受信した制御情報に、欠落やエラー等が生じていると判定する場合、制御情報にエラーや欠落が生じていることを示す情報（以下、エラー情報という）と、プロジェクター２００Ｂの識別情報とを含む制御情報を生成する。また、制御部２８０Ｂは、生成した制御情報と、この制御情報の宛て先を示すプロジェクター２００Ａの識別情報とを含むインフォフレームを生成する。制御部２８０Ｂは、生成したインフォフレームを、画像データのブランキング期間のＨＤＭＩ信号に付加してプロジェクター２００Ｃに送信する。エラー情報は、本発明の「結果情報」に相当する。
【００５８】
デイジーチェーン接続の末端に位置するプロジェクター２００Ｃの制御部２８０Ｃは、プロジェクター２００ＢからＨＤＭＩ信号を受信すると、受信したＨＤＭＩ信号を変換して、画像データや音声データ、制御情報を取り出す。制御部２８０Ｃは、受信したＨＤＭＩ信号に制御情報が含まれる場合、この制御情報を取り出して処理する。まず、制御部２８０Ｃは、宛て先を示すプロジェクター２００の識別情報に基づき、制御情報の宛て先がプロジェクター２００Ｃであるか否かを判定する。制御部２８０Ｃは、制御情報の宛て先がプロジェクター２００Ｃである場合、この制御情報に基づき、プロジェクター２００Ｂから受信する画像データを処理する。また、制御部２８０Ｃは、制御情報の宛て先がプロジェクター２００Ａである場合、制御情報を含むインフォフレームを生成し、画像データのブランキング期間のＨＤＭＩ信号に付加してプロジェクター２００Ａに送信する。
また、制御部２８０Ｃは、プロジェクター２００Ｃ宛ての制御情報を受信すると、受信した制御情報に、欠落やエラー等が生じているか否かを判定する。制御部２８０Ｃは、受信した制御情報に、欠落やエラー等が生じていると判定する場合、制御情報にエラー情報と、プロジェクター２００Ｃの識別情報とを含む制御情報を生成する。また、制御部２８０Ｃは、生成した制御情報と、この制御情報の宛て先を示すプロジェクター２００Ａの識別情報とを含むインフォフレームを生成する。制御部２８０Ｃは、生成したインフォフレームを、画像データのブランキング期間のＨＤＭＩ信号に付加してプロジェクター２００Ａに送信する。エラー情報は、本発明の「結果情報」に相当する。
【００５９】
また、制御部２８０Ｃは、プロジェクター２００Ａに送信するＨＤＭＩ信号に含まれる画像データのデータ量を、プロジェクター２００Ｂから受信するＨＤＭＩ信号に含まれる画像データのデータ量よりも少なくする。すなわち、制御部２８０Ｃは、プロジェクター２００Ｂから受信したＨＤＭＩ信号に含まれる画像データよりもデータ量を小さくした低容量の画像データをプロジェクター２００Ａに送信する。低容量の画像データは、本発明の「低容量画像データ」に相当する。インフォフレームは、ＨＤＭＩケーブル２１、２２、２３及び２４のＴＭＤＳチャネル＃０，＃１，＃２の３つのデータ線を利用して送信される。ＨＤＭＩの規定により、ＴＭＤＳチャネル＃０，＃１，＃２の３つのデータ線は、画像データを送信することなく制御情報だけを送信することはできない。そこで、制御部２８０Ｃは、プロジェクター２００Ｂから受信した画像データよりも低容量の画像データを含むＨＤＭＩ信号を生成して、プロジェクター２００Ａに送信する。また、制御部２８０Ｃは、低容量の画像データのブランキング期間のＨＤＭＩ信号にインフォフレームを付加して、プロジェクター２００Ａに送信する。低容量の画像データのブランキング期間は、画像供給装置１００がプロジェクター２００Ａに送信する画像データのブランキング期間と同期する。
プロジェクター２００間を接続するＨＤＭＩケーブル２２、２３、２４の長さが長くなると、伝送エラー等が生じる可能性が高くなる。特に、伝送する画像データの容量が大きくなると、伝送エラーが生じる可能性がより高くなる。このため、末端に位置するプロジェクター２００Ｃからマスター機プロジェクター２００Ａには、画像データを送信する必要がないので、制御部２８０Ｃは、画像データの容量を小さくし、例えば、黒一色の画像等の低容量の画像データをプロジェクター２００Ａに送信する。これによって、ＨＤＭＩケーブル２４で伝送エラー等が生じる確率を低減して、低容量画像データとエラー情報とをプロジェクター２００Ａに確実に伝送することができる。
【００６０】
図３は、プロジェクター２００Ａの制御部２８０Ａの動作を示すフローチャートである。
制御部２８０Ａは、画像供給装置１００から通信開始コマンドを受信し、画像供給装置１００との通信が開始されたか否かを判定する（ステップＳ１）。否定判定の場合（ステップＳ１／ＮＯ）、制御部２８０Ａは、通信開始コマンドを受信するまで待機する。また、肯定判定の場合（ステップＳ１／ＹＥＳ）、制御部２８０Ａは、記憶部２７０Ａから制御情報を取得する（ステップＳ２）。
【００６１】
次に、制御部２８０Ａは、画像供給装置１００から送信されるＨＤＭＩ信号をＨＤＭＩ受信部２５２Ａにより受信したか否かを判定する（ステップＳ３）。否定判定の場合（ステップＳ３／ＮＯ）、制御部２８０Ａは、ＨＤＭＩ信号を受信するまで待機する。また、肯定判定の場合（ステップＳ３／ＹＥＳ）、ＨＤＭＩＩ／Ｆ部２５０Ａは、ＨＤＭＩケーブル２１を介して受信したＨＤＭＩ信号を、画像データや音声データ、制御情報に変換する。ＨＤＭＩケーブル２１を介して送信されるＨＤＭＩ信号は差動信号である。このため、ＨＤＭＩＩ／Ｆ部２５０Ａは、ＨＤＭＩ受信部２５２Ａが受信したＨＤＭＩ信号を変換して、画像データや音声データ、制御情報に復調する。また、ＨＤＭＩＩ／Ｆ部２５０Ａは、変換した画像データや音声データに必要な処理を施して、画像データを画像処理部２６０Ａに出力し、音声データを音声処理部２４０Ａに出力する。また、ＨＤＭＩＩ／Ｆ部２５０Ａは、制御情報を制御部２８０Ａに出力する。
【００６２】
また、ＨＤＭＩＩ／Ｆ部２５０Ａは、制御部２８０Ａの制御に従い、ＨＤＭＩ受信部２５２Ａが受信したＨＤＭＩ信号にインフォフレームを付加して、プロジェクター２００Ｂに送信する。
まず、制御部２８０Ａは、画像供給装置１００から受信したＨＤＭＩ信号が、画像データの送信が途切れるブランキング期間のＨＤＭＩ信号であるか否かを判定する（ステップＳ４）。制御部２８０Ａは、ＨＤＭＩＩ／Ｆ部２５０Ａから入力される制御情報に含まれる垂直同期信号や水平同期信号に基づきブランキング期間を判定する。画像供給装置１００は、垂直同期信号や水平同期信号などの制御情報を含む制御情報を生成し、生成した制御情報を含むインフォフレームを、ブランキング期間のＨＤＭＩ信号に付加してプロジェクター２００Ａに送信する。
【００６３】
制御部２８０Ａは、ブランキング期間のＨＤＭＩ信号ではないと判定する場合（ステップＳ４／ＮＯ）、ＨＤＭＩ受信部２５２Ａが受信したＨＤＭＩ信号を、ＨＤＭＩ送信部２５６Ａによりプロジェクター２００Ｂに送信する（ステップＳ５）。ＨＤＭＩ送信部２５６Ａは、ＨＤＭＩ受信部２５２Ａが受信したＨＤＭＩ信号をそのままプロジェクター２００Ｂに送信してもよいし、取り出された画像データや音声データ、制御情報をＨＤＭＩ信号に再変換して、プロジェクター２００Ｂに送信してもよい。そして、制御部２８０Ａは、ステップＳ４の判定に戻り、受信したＨＤＭＩ信号が、ブランキング期間のＨＤＭＩ信号であるか否かを判定する。
【００６４】
また、制御部２８０Ａは、ブランキング期間のＨＤＭＩ信号であると判定する場合（ステップＳ４／ＹＥＳ）、記憶部２７０Ａから読み出した制御情報や、制御情報の宛て先を示すプロジェクター２００の識別情報を含むインフォフレームを生成する。制御部２８０Ａは、生成したインフォフレームをＨＤＭＩ信号に付加するようにＨＤＭＩＩ／Ｆ部２５０Ａに指示する（ステップＳ６）。
制御部２８０Ａからの指示を受けたＨＤＭＩ送信部２５６Ａは、制御情報を含むインフォフレームを生成し（ステップＳ７）、生成したインフォフレームをＨＤＭＩ信号に付加し、このＨＤＭＩ信号をプロジェクター２００Ｂに送信する（ステップＳ８）。
【００６５】
制御部２８０Ａは、１つのインフォフレームで制御情報を送信することができない場合、制御情報を複数のインフォフレームに分割し、複数回に分けてプロジェクター２００Ｂに送信する。また、１ブランキング期間のＨＤＭＩ信号では送信できない場合、ＨＤＭＩ送信部２５６Ａは、複数のブランキング期間に分けて、インフォフレームを複数回、プロジェクター２００Ｂに送信する。
【００６６】
次に、制御部２８０Ａは、制御情報の送信が完了したか否かを判定する（ステップＳ９）。すなわち、制御部２８０Ａは、プロジェクター２００Ｂの制御情報をプロジェクター２００Ｂに送信し、プロジェクター２００Ｃの制御情報をプロジェクター２００Ｂに送信したか否かを判定する。否定判定の場合（ステップＳ９／ＮＯ）、制御部２８０Ａは、ステップＳ４の判定に戻る。制御部２８０Ａは、受信したＨＤＭＩ信号が、ブランキング期間のＨＤＭＩ信号であるか否かを判定して、ブランキング期間のＨＤＭＩ信号にインフォフレームを付加してプロジェクター２００Ｂに送信する。
【００６７】
また、制御部２８０Ａは、制御情報の送信が完了したと判定する場合（ステップＳ９／ＹＥＳ）、ＨＤＭＩ受信部２５２Ａにより受信したＨＤＭＩ信号を取り込みプロジェクター２００Ａで処理すると共に、プロジェクター２００Ｂに送信する（ステップＳ１０）。すなわち、制御部２８０Ａは、画像供給装置１００から受信したＨＤＭＩ信号にインフォフレームを付加することなく、そのままプロジェクター２００Ｂに送信する。
【００６８】
次に、制御部２８０Ａは、デイジーチェーン接続の末端に位置するプロジェクター２００Ｃからインフォフレームが付加されたＨＤＭＩ信号を受信したか否かを判定する（ステップＳ１１）。否定判定の場合（ステップＳ１１／ＮＯ）、制御部２８０Ａは、ステップＳ１３の処理に移行する。
【００６９】
また、肯定判定の場合（ステップＳ１１／ＹＥＳ）、制御部２８０Ａは、受信したインフォフレームから制御情報を取り出して処理し、制御情報にエラー情報が含まれるか否かを判定する（ステップＳ１２）。肯定判定の場合（ステップＳ１２／ＹＥＳ）、制御部２８０Ａは、ステップＳ４に移行し、エラー情報を送信したプロジェクター２００に宛てて、記憶部２７０Ａから読み出した制御情報を含むインフォフレームを再度送信する。また、否定判定の場合（ステップＳ１２／ＮＯ）、制御部２８０Ａは、プロジェクター２００Ｂや２００Ｃに通知する必要のある他の制御情報が生じたか否かを判定する（ステップＳ１３）。例えば、プロジェクター２００Ａは、制御情報として、ツール画像の表示位置を示す位置情報をプロジェクター２００Ｂ及び２００Ｃに送信してもよい。ツール画像は、例えば、ユーザーがスクリーンＳＣに画像を描画する線の線幅を設定するアイコンや、描画した画像を消去するアイコン等の複数のアイコンが表示される画像である。制御部２８０Ａは、ツール画像の表示位置が変更されると、変更されたツール画像の表示位置を示す位置情報を制御情報としてプロジェクター２００Ｂ及び２００Ｃに送信する。
【００７０】
ステップＳ１３の判定が肯定判定の場合（ステップＳ１３／ＹＥＳ）、制御部２８０Ａは、ステップＳ４に移行する。制御部２８０Ａは、例えば、変更後のツール画像の位置を示す制御情報や、制御情報の宛て先を示すプロジェクター２００の識別情報を含むインフォフレームを生成する。制御部２８０Ａは、生成したインフォフレームを、ブランキング期間のＨＤＭＩ信号に付加してプロジェクター２００Ｂに送信する。
また、ステップＳ１３の判定が否定判定の場合（ステップＳ１３／ＮＯ）、制御部２８０Ａは、画像供給装置１００との通信が終了したか否かを判定する（ステップＳ１４）。否定判定の場合（ステップＳ１４／ＮＯ）、制御部２８０Ａは、ステップＳ１０の処理に戻り、ＨＤＭＩ受信部２５２Ａが受信したＨＤＭＩ信号を、プロジェクター２００Ｂに送信する（ステップＳ１０）。また、ステップＳ１４の判定が肯定判定の場合（ステップＳ１４／ＹＥＳ）、制御部２８０Ａは、この処理フローを終了させる。
【００７１】
図４は、プロジェクター２００Ｃの動作を示すフローチャートである。
制御部２８０Ｃは、プロジェクター２００Ｂから送信されるＨＤＭＩ信号を、ＨＤＭＩ受信部２５４Ｃで受信したか否かを判定する（ステップＳ２１）。否定判定の場合（ステップＳ２１／ＮＯ）、制御部２８０Ｃは、ＨＤＭＩ信号を受信するまで待機する。また、肯定判定の場合（ステップＳ２１／ＹＥＳ）、ＨＤＭＩＩ／Ｆ部２５０Ｃは、ＨＤＭＩ受信部２５４Ｃが受信したＨＤＭＩ信号を、画像データや音声データ、制御情報に変換する。
【００７２】
次に、制御部２８０Ｃは、受信したＨＤＭＩ信号を変換して画像データや音声データを得られたか否かを判定する（ステップＳ２３）。否定判定の場合（ステップＳ２３／ＮＯ）、制御部２８０Ｃは、ＨＤＭＩ信号を変換して得られたデータが制御情報であると判定し、その制御情報が他のプロジェクター２００宛ての制御情報であるか否かを判定する（ステップＳ２４）。肯定判定の場合（ステップＳ２４／ＹＥＳ）、制御部２８０Ｃは、ＨＤＭＩ受信部２５４Ｃが受信したＨＤＭＩ信号を、ＨＤＭＩ送信部２５６Ｃによりプロジェクター２００Ａに送信する（ステップＳ２５）。ＨＤＭＩ送信部２５６Ｃは、ＨＤＭＩ受信部２５４Ｃが受信したＨＤＭＩ信号をそのままプロジェクター２００Ａに送信してもよいし、取り出された制御情報をＨＤＭＩ信号に再変換し、プロジェクター２００Ａに送信してもよい。
【００７３】
また、ステップＳ２４の判定が否定判定の場合（ステップＳ２４／ＮＯ）、制御部２８０Ｃは、制御情報がプロジェクター２００Ｃ宛ての制御情報であると判定し、受信した制御情報に欠落やエラー等が生じているか否かを判定する（ステップＳ２６）。肯定判定の場合（ステップＳ２６／ＹＥＳ）、制御部２８０Ｃは、受信した制御情報にエラー情報と、プロジェクター２００Ｃの識別情報とを含む制御情報を生成する。また、制御部２８０Ｃは、生成した制御情報と、この制御情報の宛て先を示すプロジェクター２００Ａの識別情報とを含むインフォフレームを生成する（ステップＳ２７）。制御部２８０Ｃは、生成したインフォフレームを、画像データのブランキング期間のＨＤＭＩ信号に付加してプロジェクター２００Ａに送信する（ステップＳ２８）。
また、ステップＳ２６の判定が否定判定の場合（ステップＳ２６／ＮＯ）、制御部２８０Ｃは、ステップＳ２１に戻り、ＨＤＭＩ信号を受信する（ステップＳ２１）。
【００７４】
また、ステップＳ２３の判定が肯定判定の場合（ステップＳ２３／ＹＥＳ）、制御部２８０Ｃは、画像範囲情報やブレンディング処理に用いるパラメーター等の制御情報をプロジェクター２００Ａから受信済みであるか否かを判定する（ステップＳ２９）。否定判定の場合（ステップＳ２９／ＮＯ）、制御部２８０Ｃは、ステップＳ２１の処理に移行して引き続きＨＤＭＩ信号を受信する。また、肯定判定の場合（ステップＳ２９／ＹＥＳ）、制御部２８０Ｃは、画像処理部２６０Ｃに、制御情報に従って画像データを処理させる（ステップＳ３０）。すなわち、制御部２８０Ｃは、制御情報に含まれる画像範囲情報に基づいて、プロジェクター２００Ｂから受信した画像データを切り分ける。すなわち、制御部２８０Ｃは、プロジェクター２００Ｃが投射する画像部分に相当する画像データを、プロジェクター２００Ｂから受信した画像データから切り出す。制御部２８０Ｃは、切り出した画像データをフレームメモリー２６５Ｃに展開し、展開した画像データに対して処理を行う。また、制御部２８０Ｃは、制御情報に含まれるパラメーターを画像処理部２６０Ｃに通知し、画像処理部２６０Ｃは、制御部２８０Ｃから通知されたパラメーターを用いて画像データにブレンディング処理を行う。
【００７５】
画像処理部２６０Ｃは、画像処理が終了すると、フレームメモリー２６５Ｃから画像データを読み出し、光変調装置駆動部２２２Ｃに出力する。光変調装置駆動部２２２Ｃは、入力された画像データを液晶パネルの動作に適したデータ信号に変換し、変換したデータ信号に基づいて、各液晶パネルの各画素に電圧を印加し、各液晶パネルに画像を描画する。これにより、スクリーンＳＣの投射領域１０Ｃに、プロジェクター２００Ｃが投射を担当する画像が投射される（ステップＳ３１）。
次に、制御部２８０Ｃは、プロジェクター２００Ｂとの通信が終了したか否かを判定する（ステップＳ３２）。否定判定の場合（ステップＳ３２／ＮＯ）、制御部２８０Ｃは、ステップＳ２１に戻り、引き続きＨＤＭＩ信号を受信する。肯定判定の場合（ステップＳ３２／ＹＥＳ）、制御部２８０Ｃは、この処理フローを終了させる。
【００７６】
以上、説明したように本実施形態は、プロジェクター２００Ａと、スレイブ機のプロジェクター２００Ｂ及び２００Ｃとを備えるプロジェクションシステム１である。プロジェクター２００Ａとプロジェクター２００Ｂとの間、及びプロジェクター２００Ｂとプロジェクター２００Ｃとの間は、各々ＨＤＭＩケーブル２２及び２３を介してデイジーチェーン接続される。ＨＤＭＩケーブル２２及び２３は、画像データを伝送するＴＭＤＳチャネル＃０，＃１，＃２の３つのデータ線を有する。
プロジェクター２００Ａは、プロジェクター２００Ｂ又は２００Ｃを制御する制御情報を、ＨＤＭＩケーブル２２のデータ線を介して画像データとともにプロジェクター２００Ｂに送信する。プロジェクター２００Ｂは、制御情報が、プロジェクター２００Ｂ宛ての制御情報である場合には、ＨＤＭＩケーブル２２から入力される制御情報を取り出して処理する。また、プロジェクター２００Ｂは、制御情報が、プロジェクター２００Ｃ宛ての制御情報である場合には、制御情報を、ＨＤＭＩケーブル２３のデータ線を介して画像データとともにプロジェクター２００Ｃに伝送する。プロジェクター２００Ｃは、制御情報が、プロジェクター２００Ｃ宛ての制御情報である場合には、ＨＤＭＩケーブル２３から入力される制御情報を取り出して処理する。
従って、プロジェクター２００Ａ〜２００Ｃの間を、ＨＤＭＩケーブル２２及び２３で接続した簡易な接続構成であっても、プロジェクター２００Ａからプロジェクター２００Ｂ又は２００Ｃに画像データと制御情報とを送信することができる。
【００７７】
また、プロジェクター２００Ａにデイジーチェーン接続されたプロジェクター２００Ｂ、２００Ｃのうち末端に位置するプロジェクター２００Ｃと、プロジェクター２００ＡとをＨＤＭＩケーブル２４により接続した。
従って、プロジェクター２００Ｃは、プロジェクター２００Ａに制御情報を出力することができる。
【００７８】
また、ＨＤＭＩケーブル２４は、画像データを伝送するＴＭＤＳチャネル＃０，＃１，＃２の３つのデータ線を有する。プロジェクター２００Ｃは、ＨＤＭＩケーブル２４のデータ線に制御情報を出力し、プロジェクター２００Ａは、ＨＤＭＩケーブル２４から入力される制御情報を取り出して処理する。
従って、プロジェクター２００Ｃからプロジェクター２００Ａに、ＨＤＭＩケーブル２４のデータ線を介して画像データと制御情報とを伝送することができる。
【００７９】
また、各々のプロジェクター２００Ａ、２００Ｂ、２００Ｃに、プロジェクター２００を識別する識別情報が設定される。プロジェクター２００Ａは、制御情報を、宛先のプロジェクターの識別情報とともにＨＤＭＩケーブル２２のデータ線に出力する。プロジェクター２００Ｂは、ＨＤＭＩケーブル２２から入力される制御情報のうち、設定された識別情報を含む制御情報に対応する処理を実行し、実行した処理の結果を示す結果情報をＨＤＭＩケーブル２３に出力する。従って、プロジェクター２００Ｂに、ＨＤＭＩケーブル２２のデータ線から入力される制御情報のうち、設定された識別情報を含む制御情報に対応する処理を実行させることができる。また、プロジェクター２００Ｂに、実行した処理の結果を示す結果情報をＨＤＭＩケーブル２３のデータ線に出力させることができる。
【００８０】
また、プロジェクター２００Ｃは、プロジェクター２００ＢがＨＤＭＩケーブル２３のデータ線に出力した結果情報を、ＨＤＭＩケーブル２４のデータ線に出力する。従って、プロジェクター２００Ａに、プロジェクター２００Ｂの制御情報に対応する処理の結果を示す結果情報を出力することができる。
【００８１】
また、プロジェクター２００Ｃは、ＨＤＭＩケーブル２３のデータ線から入力される画像データのデータ量を小さくした低容量画像データと結果情報とを、ＨＤＭＩケーブル２４のデータ線に出力する。従って、ＨＤＭＩケーブル２４で伝送エラー等が生じる確率を低減して、低容量画像データと結果情報とをプロジェクター２００Ａに確実に伝送することができる。
【００８２】
また、プロジェクター２００Ａは、制御情報を、ＨＤＭＩプロトコルのインフォフレームに含めてＨＤＭＩケーブル２２のデータ線に出力する。プロジェクター２００Ｂは、ＨＤＭＩケーブル２２のデータ線を介して受信した制御情報を、ＨＤＭＩプロトコルのインフォフレームに含めてＨＤＭＩケーブル２３に出力する。
従って、既存のＨＤＭＩプロトコルを変更することなく、ＨＤＭＩケーブル２２、２３のデータ線により制御情報を伝送することができる。
【００８３】
また、プロジェクター２００Ａが出力する制御情報には、タイリング画像における各々のプロジェクター２００Ｂ、２００Ｃが投射する画像の位置を設定する設定情報、及びタイリング画像において画像が重ね合わされる重畳領域１１，１２に対するエッジブレンディング処理に関する設定情報のうち、少なくともいずれかが含まれる。従って、プロジェクター２００Ｂ及び２００Ｃは、ＨＤＭＩケーブル２２又は２３のデータ線から入力される制御情報を取り出して、投射する画像の位置を設定したり、エッジブレンディング処理に関する設定をしたりすることができる。
【００８４】
また、プロジェクター２００Ａが、プロジェクター２００Ｂ及び２００Ｃに、制御情報を送信する制御装置として動作する。従って、プロジェクター２００Ａとして動作させる装置を別途用意することなく、プロジェクションシステムのプロジェクターを制御装置として動作させることができる。
【００８５】
なお、上述した実施形態は本発明を適用した具体的態様の例に過ぎず、本発明を限定するものではなく、異なる態様として本発明を適用することも可能である。
例えば、上述した実施形態では、プロジェクター２００Ａを制御装置として動作させる場合について説明したが、画像供給装置１００を制御装置として動作させ、プロジェクター２００Ａ〜２００Ｃを画像供給装置１００の制御によって動作させてもよい。この場合、画像供給装置１００と末端に位置するプロジェクター２００Ｃとをループ用ケーブルであるＨＤＭＩケーブル２４で接続することになる。
【００８６】
また、上述の画像供給装置１００及びプロジェクター２００が備えるインターフェイスとして、ディスプレイポート規格に準拠したインターフェイスを用い、ケーブルとしてディスプレイポートケーブルを用いることもできる。
【００８７】
また、上述の実施形態では、光変調装置２１２Ａが液晶パネルを備える構成を例示した。液晶パネルは、透過型の液晶パネルであってもよいし、反射型の液晶パネルであってもよい。また、光変調装置２１２Ａは、液晶パネルに代えて、デジタルミラーデバイス（ＤＭＤ）を用いた構成であってもよい。また、デジタルミラーデバイスとカラーホイールを組み合わせた構成としてもよい。また、光変調装置２１２Ａは、液晶パネルおよびＤＭＤ以外に、光源が発した光を変調可能な構成を採用しても良い。
【００８８】
また、図２に示したプロジェクター２００Ａの各機能部は、機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、また、ハードウェアで実現される機能の一部をソフトウェアで実現してもよい。その他、プロジェクターの他の各部の具体的な細部構成についても、本発明の趣旨を逸脱しない範囲で任意に変更可能である。
【００８９】
また、図３及び図４に示すフローチャートの処理単位は、プロジェクター２００Ａ、２００Ｃの制御部２８０Ａ、２８０Ｃの処理を理解容易にするために、主な処理内容に応じて分割したものである。図３及び図４のフローチャートに示す処理単位の分割の仕方や名称によって本発明が制限されることはない。また、制御部２８０Ａ、２８０Ｃの処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【符号の説明】
【００９０】
５…リモコン、１０Ａ、１０Ｂ、１０Ｃ…投射領域、１１、１２…重畳領域、２１、２２、２３、２４…ＨＤＭＩケーブル、１００…画像供給装置、１１０…制御部、１２０…再生部、１３０…記録媒体、１４０…ＨＤＭＩＩ／Ｆ部（送信部）、２００、２００Ａ（制御装置）、２００Ｂ、２００Ｃ（末端に位置するプロジェクター）…プロジェクター、２１１Ａ…光源部、２１２Ａ…光変調装置、２１３Ａ…投射光学系、２２１Ａ…光源駆動部、２２２Ａ、２２２Ｃ…光変調装置駆動部、２３１Ａ…操作パネル、２３３Ａ…リモコン受光部、２３５Ａ…入力処理部、２４０Ａ…音声処理部、２４３Ａ…スピーカー、２４５Ａ…撮像部、２４７Ａ…無線通信部、２５０Ａ、２５０Ｂ、２５０Ｃ…ＨＤＭＩＩ／Ｆ部、２５２Ａ、２５４Ａ、２５４Ｂ、２５４Ｃ…ＨＤＭＩ受信部、２５６Ａ、２５６Ｂ、２５６Ｃ…ＨＤＭＩ送信部、２６０Ａ、２６０Ｂ、２６０Ｃ…画像処理部、２６５Ａ、２６５Ｃ…フレームメモリー、２７０Ａ…記憶部、２８０、２８０Ａ、２８０Ｂ、２８０Ｃ…制御部、２８１Ａ…投射制御部、２８２Ａ…分割表示制御部、２８３Ａ…通信制御部、２９０Ａ、２９０Ｃ…内部バス。
【図１】
2018050144.tif 000003
【図２】
2018050144.tif 000004
【図３】
2018050144.tif 000005
【図４】
2018050144.tif 000006